(57)【要約】【課題】電力増幅器の負担を軽減し、小型で低コストの多チャンネル同時増幅を行うマイクロ波中継装置の実現。【解決手段】送信機側においては奇数チャンネルを共用したのち、ＭＣＰＡにて多波増幅しアンテナの水平偏波入力とし、また一方では偶数チャンネルを共用したのち、ＭＣＰＡにて多波増幅しアンテナの垂直偏波入力とすることで、ＭＣＰＡで増幅するチャンネルの数を減らし増幅器の負担を軽減する。受信機側においては奇数チャンネル、偶数チャンネルをアンテナの水平偏波と垂直偏波出力端子からそれぞれ取り出し、ＭＣＬＮＡにて多波増幅したのち各チャンネルに分離することによりＣ／Ｎ劣化の少ない装置を提供する。【選択図】　図１
2004064254.tif 000002
【特許請求の範囲】
【請求項１】
多チャンネル同時伝送方式のマイクロ波中継装置において、送信機側では、送信出力切替器で現用／予備機を切り替えた後、共用器で複数チャネルを合成し、その後に多チャンネル増幅器（以下ＭＣＰＡと略す）で増幅することを特徴とするマイクロ波中継装置。
【請求項２】
多チャンネル同時伝送方式のマイクロ波中継装置において、送信機側では、多数のチャンネルを伝送する場合に、所定のＭＣＰＡ出力をアンテナの水平偏波入力に、残りのＭＣＰＡ出力をアンテナの垂直偏波入力とし、多数のチャンネルを１つのアンテナで伝送することを特徴とするマイクロ波中継装置。
【請求項３】
多チャンネル同時伝送方式のマイクロ波中継装置において、受信機側では、受信アンテナから受信信号を水平偏波信号と垂直偏波信号に分離した後、分配器（以下ＨＹＢと略す）または切替器で現用／予備系に分け、多チャンネル低雑音増幅器（以下ＭＣＬＮＡと略す）で増幅することを特徴とするマイクロ波中継装置。
【請求項４】
請求項３のマイクロ波中継装置において、分波器にて各チャンネルに分離し受信変換増幅器にて所定の信号処理を行うことを特徴とするマイクロ波中継装置。
【請求項５】
請求項１乃至３において、前記送信出力切替器を具備しない１台方式における上記請求範囲。
【発明の詳細な説明】
【０００１】
【発明の属する技術分野】
本発明は多チャンネル同時増幅を行うマイクロ波中継装置における、低損失の伝送方式に関するものである。
【０００２】
【従来の技術】
従来の技術における、多チャンネル同時伝送方式のマイクロ波中継装置の構成を図２に示す。
【０００３】
送信機側では、各チャンネルに現用（１号）と予備（２号）の基本部１を有し、それぞれ出力されたマイクロ波信号は現用（１号）と予備（２号）のＰＡ１１でそれぞれ増幅されたあと、送信出力切替器２で使用側を選択されてから共用器１５にて多チャンネル合成され、出力アンテナ１２より送信される。
【０００４】
一方受信機側では受信アンテナ１３から入力された多チャンネルマイクロ波信号をＨＹＢ７にて２系統に分配したのち、分波器１６にて各チャンネルに分離し、ＬＮＡ１４にて増幅してから現用（１号）と予備（２号）の受信基本部１０に入力する。
【０００５】
図３に他の構成例をしめす。
送信機側では、各チャンネルの現用（１号）と予備（２号）の送信基本部１から出力されたマイクロ波信号は送信出力切替器２で使用側を選択されてから共用器１５にて多チャンネル合成され、ＭＣＰＡ４にて増幅されたのち出力アンテナ１２より送信される。
【０００６】
一方受信機側では受信アンテナ１３から入力された多チャンネルマイクロ波信号をＭＣＬＮＡ８にて増幅してから分波器１６にて各チャンネルに分離し、さらにＨＹＢ７にて２系統に分配したのち、現用（１号）と予備（２号）の受信基本部１０に入力する。
【０００７】
【発明が解決しようとする課題】
前述の従来の技術には送信機側においては、図２の方式ではＰＡ１１出力のレベルが送信出力切替器２や共用器１５で大きく減衰し、また図３の方式ではＭＣＰＡ４で全チャンネルの増幅をしなければならないため、負担が重くなりＭＣＰＡ４が大形化するという欠点がある。
【０００８】
また受信機側においては、図２の方式では受信信号がＨＹＢ７や分波器１６で大きく減衰する。また図３の方式では分波器１６やＨＹＢ７の減衰が大きいためＭＣＬＮＡ８が前段にあっても受信機入力の雑音指数は劣化してしまう。
【０００９】
すなわちどちらの方式とも、送受信機１対向の回線としてのＣ／Ｎは大きく劣化してしまう。逆に所要のＣ／Ｎを得ようとすると、ＭＣＰＡ４を大形にするか、ＰＡ１１で各チャンネル毎に増幅しなければならず、いずれにしてもコスト増加となる。
【００１０】
本発明の目的はこれらの欠点を除去し、電力増幅器の負担を軽減し小形で低コストの装置を提供することにある。
【００１１】
【課題を解決するための手段】
本発明は前記欠点を除去するため、多チャンネル同時伝送方式のマイクロ波中継装置において、送信機側では、送信出力切替器で現用／予備機を切り替えた後、共用器で複数チャネルを合成し、その後に多チャンネル増幅器（以下ＭＣＰＡと略す）で増幅するものである。
【００１２】
また、多チャンネル同時伝送方式のマイクロ波中継装置において、送信機側では、多数のチャンネルを伝送する場合に、所定のＭＣＰＡ出力をアンテナの水平偏波入力に、残りのＭＣＰＡ出力をアンテナの垂直偏波入力とし、多数のチャンネルを１つのアンテナで伝送するものである。
【００１３】
また、多チャンネル同時伝送方式のマイクロ波中継装置において、受信機側では、受信アンテナから受信信号を水平偏波信号と垂直偏波信号に分離した後、分配器（以下ＨＹＢと略す）または切替器で現用／予備系に分け、多チャンネル低雑音増幅器（以下ＭＣＬＮＡと略す）で増幅するものである。
【００１４】
また、分波器にて各チャンネルに分離し受信変換増幅器にて所定の信号処理を行うものである。
【００１５】
さらに、前記送信出力切替器を具備しない１台方式におけるものである。
すなわち、送信機側においては奇数チャンネルを共用したのち、ＭＣＰＡにて多波増幅しアンテナの水平偏波入力とし、また一方では偶数チャンネルを共用したのち、ＭＣＰＡにて多波増幅しアンテナの垂直偏波入力とすることで、ＭＣＰＡで増幅するチャンネルの数を減らし増幅器の負担を軽減することにより、より小形の増幅器を使用することが可能となる。これにより小形で低コストの装置を提供することができる。
【００１６】
受信機側においては奇数チャンネル、偶数チャンネルをアンテナの水平偏波と垂直偏波出力端子からそれぞれ取り出し、ＭＣＬＮＡにて多波増幅したのち各チャンネルに分離することによりＣ／Ｎ劣化の少ない装置を提供することができる。
【００１７】
【発明の実施の形態】
以下この発明の一実施例を図１にて説明する。入力信号は現用（１号）と予備（２号）の送信基本部１にて所要のマイクロ波信号に変換され、送信出力切替器２にて現用（１号）側と予備（２号）側を選択される。こうして得られた奇数チャンネルｆ１は共用器３で他の奇数チャンネルｆ３と合成されＭＣＰＡ４にて所要出力まで増幅され、送信アンテナ５の水平偏波端子に入力される。
【００１８】
偶数チャンネルｆ２、ｆ４も同様にして増幅され、垂直偏波端子に入力される。
このようにしてＭＣＰＡが同時増幅するチャンネルの数は従来方式の半分となり、増幅器の出力も半分となるため小形にできる。また共用器は周波数間隔が２倍に離れるため内部のチャンネルフィルタも簡単になる。
【００１９】
次に送信波は受信アンテナ６で受信され、水平偏波端子および垂直偏波端子から送信側に対応した奇数チャンネル信号と偶数チャンネル信号が出力される。奇数チャンネル信号はＨＹＢ７にて１号、２号に分配されてＭＣＬＮＡ８で多波増幅される。そのあと分波器９にてｆ１とｆ３に分離され受信基本部１０に入力される。
【００２０】
同様にして偶数チャンネルｆ２、ｆ４も垂直偏波端子から出力されたのち増幅分波され、受信基本部に入力される。
【００２１】
図１は２台方式の場合を示しているが、１台方式でも同様である。またチャンネル数も４チャンネルだけでなく３チャンネルや５チャンネル以上でも同様である。さらにＭＣＰＡは２台並列で示してあるが、１台単体でも逆に３台以上の並列でも同様である。
【００２２】
【発明の効果】
送信機側においては、送信出力切替器や共用器が電力増幅器の前段にあるため増幅器出力を減衰させることなく有効にアンテナに供給することができる。そのため電力増幅器を小形にすることができる。
【００２３】
水平偏波および垂直偏波の両方を使用するため、１つの偏波のみ使用する場合より電力増幅器で増幅するチャンネル数は半分ですむ。この場合電力増幅器の定格出力も半分ですむので小形化が可能である。さらに共用器ではチャンネル間周波数が離れることにより、共用器を構成するフィルタが簡単になり低コスト化が図れる。
【００２４】
受信機側においては、分波器で大きく減衰することがないため受信機入力の雑音指数を大きく劣化させることがない。
【図面の簡単な説明】
【図１】本発明による一実施例の多チャンネルマイクロ波中継装置の構成
【図２】従来技術における多チャンネル同時伝送方式のマイクロ波中継装置の構成
【図３】従来技術における多チャンネル同時伝送方式のマイクロ波中継装置の構成
【符号の説明】
１：送信基本部　２：送信出力切替　３：共用器　４：ＭＣＰＡ　５：２偏波型送信アンテナ　６：２偏波型受信アンテナ　７：ＨＹＢ　８：ＭＣＬＮＡ　　９：分波器
１０：受信基本部
【図１】
2004064254.tif 000003
【図２】
2004064254.tif 000004
【図３】
2004064254.tif 000005